(57)【特許請求の範囲】
【請求項１】
可搬型の記録媒体を介して、情報端末に少なくとも新聞、雑誌、書籍、映画または音楽のいずれかを含むコンテンツの電子データを提供するデータ提供装置を有する電子データ提供システムにおいて、
前記情報端末は、
前記電子データ提供装置から、所定の伝送路を介して、電子データの識別子を含む提供データリストを受信する受信手段と、
前記提供データリストに基づいて、電子データの選択画面を表示する表示手段と、
前記選択画面を用いて電子データを選択する利用者の操作を受け付ける操作手段と、
選択された電子データに対応する識別子である選択識別子を前記提供データリストから取得する手段と、
前記記録媒体を挿入する第１の記録媒体挿入部と、
前記第１の記録媒体挿入部に挿入された記録媒体に前記選択識別子を書き込む識別子書き込み手段と、
前記電子データ提供装置によって提供された電子データを、前記第１の記録媒体挿入部に挿入された記録媒体から読み出して再生する手段と、
を有し、
前記電子データ提供装置は、
前記電子データおよび前記提供データリストを記憶する提供データ記憶手段と、
前記情報端末へ、所定の伝送路を介して、前記提供データリストを送信する送信手段と、
前記記録媒体を挿入する第２の記録媒体挿入部と、
前記第２の記録媒体挿入部に挿入された前記記録媒体から、前記選択識別子を読み出す識別子読み出し手段と、
前記選択識別子に対応する電子データが前記提供データ記憶手段に記憶されている場合に、該電子データを前記第２の記録媒体挿入部に挿入された前記記録媒体に書き込む電子データ書き込み手段と、
を有する、
電子データ提供システム。
【請求項２】
前記所定の伝送路は無線であることを特徴とする請求項１記載の電子データ提供システム。
【請求項３】
可搬型の記録媒体を介して、情報端末に少なくとも新聞、雑誌、書籍、映画または音楽のいずれかを含むコンテンツの電子データを提供するデータ提供装置を有する電子データ提供システムにおいて、
前記記録媒体には予め電子データの識別子を含む提供データリストが記録されており、
前記情報端末は、
前記記録媒体を挿入する第１の記録媒体挿入部と、
前記第１の記録媒体挿入部に挿入された前記記録媒体から、前記提供データリストを読み出す提供データリスト読み出し手段と、
前記提供データリストに基づいて、電子データの選択画面を表示する表示手段と、
前記選択画面を用いて電子データを選択する利用者の操作を受け付ける操作手段と、
選択された電子データに対応する識別子である選択識別子を前記提供データリストから取得する手段と、
前記選択識別子を、前記第１の記録媒体挿入部に挿入された記録媒体に書き込む識別子書き込み手段と、
前記電子データ提供装置によって提供された電子データを、前記第１の記録媒体挿入部に挿入された記録媒体から読み出して再生する手段と、
を有し、
前記電子データ提供装置は、
前記電子データおよび前記提供データリストを記憶する提供データ記憶手段と、
前記記録媒体を挿入する第２の記録媒体挿入部と、
前記第２の記録媒体挿入部に挿入された前記記録媒体から、前記選択識別子を読み出す識別子読み出し手段と、
前記選択識別子に対応する電子データが前記提供データ記憶手段に記憶されている場合に、該電子データを前記第２の記録媒体挿入部に挿入された前記記録媒体に書き込む電子データ書き込み手段と、
を有する、
電子データ提供システム。
【請求項４】
前記情報端末は、さらに、過去に用いた前記提供データリストを記憶するリスト記憶手段を有し、
前記表示手段は、過去に用いた提供データリストと同一の提供データリストに基づいて前記選択画面を表示する場合は、前記リスト記憶手段が記憶する提供データリストを用いる、
ことを特徴とする請求項１から請求項３のいずれか一項に記載された電子データ提供システム。
【請求項５】
可搬型の記録媒体を介して、データ提供装置から少なくとも新聞、雑誌、書籍、映画または音楽のいずれかを含むコンテンツの電子データの提供を受ける情報端末において、
外部から所定の伝送路を介して前記電子データの識別子を含む提供データリストを受信する受信手段と、
前記提供データリストに基づいて、電子データの選択画面を表示する表示手段と、
前記選択画面を用いて電子データを選択する利用者の操作を受け付ける操作手段と、
前記記録媒体を挿入する記録媒体挿入部と、
選択された電子データに対応する識別子である選択識別子を前記提供データリストから取得する手段と、
前記選択識別子を、前記記録媒体挿入部に挿入された記録媒体に書き込む識別子書き込み手段と、
前記データ提供装置によって提供された電子データを前記記録媒体挿入部に挿入された記録媒体から読み出して再生する手段と、
を有する情報端末。
【請求項６】
前記所定の伝送路は無線であることを特徴とする請求項５記載の情報端末。
【請求項７】
少なくとも新聞、雑誌、書籍、映画または音楽のいずれかを含むコンテンツの電子データと、前記電子データに対応付けられた識別子と、前記識別子を含む提供データリストとを記憶する電子データ提供装置から、
可搬型の記録媒体を介して、
情報端末に前記電子データを提供する電子データ供給方法であって、
前記情報端末は、
前記電子データ提供装置から、無線を介して前記提供データリストを受信し、
前記提供データリストに基づいて電子データの選択画面を表示し、
前記選択画面から電子データを選択する利用者の操作を受け付け、
選択された電子データに対応する識別子である選択識別子を前記提供データリストから取得し、
前記選択識別子を前記記録媒体に書き込み、
前記電子データ提供装置は、
前記情報端末へ、無線を介して前記提供データリストを送信し、
前記記録媒体から前記選択識別子を読み出し、
前記所望の電子データの識別子に対応する電子データを前記記録媒体に書き込み、
前記情報端末は、
前記電子データ提供装置によって提供された電子データを、前記記録媒体から読み出して再生する、
電子データ提供方法。
【発明の詳細な説明】
【０００１】
【発明の属する技術分野】
本発明は、デジタルキオスク等、電子データを有料または無料で提供する電子データ提供システムおよび電子データ提供装置に関する。
【０００２】
【従来の技術】
情報、通信技術の進歩に伴い、従来紙メディアで提供されて来た新聞、雑誌、書籍などの著作物を電子的に提供したり、CD-ROM,フロッピーディスク、テープなどの媒体に収められパッケージメディアとして流通されてきた映画、音楽、計算機ソフトウェアなどを媒体に収めずに提供することが可能となってきた。
【０００３】
これら電子データを有料でメモリカードなどの記録媒体に転送するデジタルキオスクという電子データ販売装置も現われている。
【０００４】
このような、電子データを有料または無料で提供する電子データ提供システムでは、まず顧客が提供装置のディスプレイに表示されたメニューを操作して、提供を求めるデータを指定し、次に対応するデータが提供装置から記憶媒体にコピーされる。
【０００５】
提供されたデータは、記憶媒体からデータを読みだし表示・再生する機能を持った情報端末で利用される。
【０００６】
ところがこの方法では、提供データを決定し記憶媒体への転送を終えるまで顧客が提供装置を専有するため、その他の顧客が提供装置を使用できない。特に提供装置から提供されるデータが多種多様であればあるほど、提供を受けたいデータを選択するのに時間がかかる。
【０００７】
この間、他の顧客は提供装置を使用できず待たされるという問題がある。
【０００８】
【発明が解決しようとする課題】
以上述べたように、電子データの提供を行う電子データ提供システムにおいては、提供データの選択とコピーが逐次的にしか行えないため、待ち時間が長いという問題がある。
【０００９】
本発明は、提供データの選択とコピーを並行して行うことにより、待ち時間の短い電子データ提供システムおよび電子データ提供装置を提案する。
【００１０】
【課題を解決するための手段】
上記課題を解決するために、本発明の電子データ提供システムは、可搬型の記録媒体を介して、情報端末に電子データを提供するデータ提供装置を有する。
【００１１】
前記情報端末は、
前記電子データ提供装置から、所定の伝送路を介して、電子データの識別子を含む提供データリストを受信する受信手段と、
前記提供データリストに基づいて、電子データの選択画面を表示する表示手段と、
前記選択画面を用いて電子データを選択する利用者の操作を受け付ける操作手段と、
選択された電子データに対応する識別子である選択識別子を前記提供データリストから取得する手段と、
前記記録媒体を挿入する第１の記録媒体挿入部と、
前記第１の記録媒体挿入部に挿入された記録媒体に前記選択識別子を書き込む識別子書き込み手段と、
を有する。
【００１２】
前記電子データ提供装置は、
前記電子データおよび前記提供データリストを記憶する提供データ記憶手段と、
前記情報端末へ、所定の伝送路を介して、前記提供データリストを送信する送信手段と、
前記記録媒体を挿入する第２の記録媒体挿入部と、
前記第２の記録媒体挿入部に挿入された前記記録媒体から、前記選択識別子を読み出す識別子読み出し手段と、
前記選択識別子に対応する電子データが前記提供データ記憶手段に記憶されている場合に、該電子データを前記第２の記録媒体挿入部に挿入された前記記録媒体に書き込む電子データ書き込み手段と、
を有する。
【００２０】
これらにより、提供データを指定するデータリストを別の手段で顧客に提供し、あらかじめ提供データを決定した上でその識別子をメモリカードに記載してから提供装置に挿入する。データリストを顧客に提供する方法は例えば、提供装置から無線で情報端末に転送する、情報端末ををインタネットのサーバに繋ぎサーバから提供する、あらかじめ提供データの識別子を記載した記憶媒体を提供する、等の方法をとる。これにより顧客が提供装置を専有するのは記憶媒体にコピーする間だけとなり、待ち時間を短縮することができる。
【００２１】
【発明の実施の形態】
以下、図を用いて本発明の実施例について説明する。
【００２２】
図１は本発明の第１の実施例の全体の構成を示す実施例の図である。図示するように、本実施例は、電子データを提供する電子データ提供装置10と、電子データを利用する情報端末20と、顧客が提供を求める電子データの識別子を記録し電子データ提供装置に伝達する機能および電子データ提供装置からデータの提供を受け情報端末に伝達する機能を有する記録媒体30からなる。
【００２３】
電子データ提供装置10は、提供する電子データのリストや電子データを保持する記憶部11と、提供電子データリストを情報端末に転送する転送部11と、記録媒体30を挿入しデータを読み出したりデータを書き込むための記録媒体挿入部13から構成される。
【００２４】
記憶部11は例えばハードディスクのような媒体で構成される。ただ一つのハードディスク・ドライブから構成されても良いし、複数のドライブから構成されても良い。あるいはハードディスクとフラッシュメモリのように異なる媒体により構成されても良い。また、提供電子データリストと電子データは同じ媒体に記憶されてもよいし、提供電子データリストはフラッシュメモリに電子データはハードディスクにというように分類されて記憶されても良い。
【００２５】
転送部12は例えば無線のインタフェースで構成される。情報端末まで提供電子リストを送信するのに必要な出力を持っていればよい。記録媒体挿入部13は例えばメモリカードスロットで構成される。記録媒体30を挿入し内容の読みだしおよび書き込みができる機能を有する。
【００２６】
転送部21は例えば無線のインタフェースで構成される。電子データ提供装置の転送部から転送されたデータを受信する機能を持つ。記録媒体挿入部22は例えばメモリカードスロットで構成される。電子データ提供装置の記録媒体挿入部13に挿入する記録媒体30を挿入し、データの読みだしや書き込みを行う機能を持つ。
【００２７】
記録媒体30は例えばメモリカードで構成される。
【００２８】
図２は電子データ提供装置から情報端末に転送される提供データリストの例である。<>で囲まれていない記述はこのまま情報端末で表示される文字列である。
【００２９】
<>で囲まれた記述は制御コードであり、情報端末で定まった処理をされる。
【００３０】
欄外の(1)は1行目であることを示す。1行目は「新聞」というジャンルが開始されることを示す。<GENRE>は新たなジャンルの開始を示す制御コードである。
【００３１】
2行目は「○○新聞」という文字列を表示し、この文字列にはアンカーが掛かっており該データに対応するidが 0x119909200であり、さらにその右に「99年9月20日朝刊」という文字列を表示することを示す。
【００３２】
<A id=0x=...>は</A>で囲まれる文字列にアンカーが掛かっており、該文字列が表示手段上で選択された時に...というidが与えられあらかじめ定まった処理がなされることを示す。
【００３３】
同様に3行目は「××新聞」という文字列を表示し、この文字列にはアンカーが掛かっており該データに対応するidが 0x129909200であり、さらにその右に「99年9月20日朝刊」という文字列を表示することを示す。4行目以降も同様の意味を持つ。
【００３４】
図３は情報端末における提供データリストの表示例である。
【００３５】
<GENRE>で始まる行の文字列は、改行の上、左から表示する。<A id=0x...>と</A>で囲まれた文字列は改行の上インデントを行って表示し、下線を引く。本文字列は情報端末のポインティングデバイスで選択可能であるという意味である。
【００３６】
</A>の後の文字列はインデントして同じ行の右側に表示する。
【００３７】
図４は記録媒体のメモリ管理の例である。提供を要求する電子データの識別子を格納するエリア、電子データ提供装置でエラーが発生した時にエラーコードを格納するエリア、電子データを格納するエリアからなる。
【００３８】
本例では○○新聞が選択されたとする。これに対応する識別子である0x119909200 が電子データ識別子の格納エリアに記載される。エラーコードは0を記入する。0の場合はエラー無し、0以外の場合はエラーと解釈する。
【００３９】
図５は本発明の手順を示すフローチャートである。電子データ提供装置の転送部より、本装置が提供する電子データのリストを送信する(ステップ1)。
【００４０】
情報端末の転送部で電子データのリストを受信する(ステップ2)。
【００４１】
情報端末では受信した電子データのリストを画面に表示する(ステップ3)。
【００４２】
ユーザがポインティングデバイス等を操作して、欲しいデータを指定する(ステップ4)。
【００４３】
選択された電子データの識別子を記録媒体挿入部に挿入されている記録媒体の電子データ識別子の格納エリアに書き込む。またエラーコードの格納エリアに0を書き込む(ステップ5)。
【００４４】
ユーザが記録媒体を情報端末の記録媒体挿入部から抜き(ステップ6)、電子データ提供装置の記録媒体挿入部に挿入する(ステップ7)。電子データ提供装置で記録媒体に記載されている電子データの識別子を読み(ステップ8)、該識別子が本提供装置が提供している電子データの識別子かどうか判別する(ステップ9)。
【００４５】
そうであれば、識別子に対応する電子データを記録媒体に書き込む(ステップ10)。さもなければ0以外のエラーコードを記録媒体に書き込む(ステップ11)。
【００４６】
そしてユーザが記録媒体を記録媒体挿入部から抜き(ステップ12)、情報端末の記録媒体挿入部に挿入する(ステップ13)。
【００４７】
情報端末では記録媒体のエラーコードの格納エリアに格納されている値を読みだし、0かどうかを判別する(ステップ14)。0であれば情報端末で表示・再生し(ステップ15)、さもなければエラーメッセージを表示する(ステップ16)。
【００４８】
これにより本発明にかかる電子データ提供システムおよび電子データ提供装置を実現することができる。
図６は本発明の第２の実施例の全体の構成を示す実施例の図である。第１の実施例では電子データ提供装置が提供するデータのリストを送信したが、この限りではない。別の機器が提供してもよい。電子データ提供装置へ行かなくても、例えば電話をかけることによりあらかじめデータリストを入手し選択することができれば、データ転送時の所要時間をさらに短縮することができる。
【００４９】
図示するように、本実施例は、電子データを提供する電子データ提供装置10と、電子データを利用する情報端末20と、顧客が提供を求める電子データの識別子を記録し電子データ提供装置に伝達する機能および電子データ提供装置からデータの提供を受け情報端末に伝達する機能を有する記録媒体30と、電子データ提供装置が提供する電子データのリストを提供するデータリスト提供装置40からなる。
【００５０】
図１の構成図における電子データ提供装置と比べて、本例における電子データ提供装置10はデータリストを提供するための転送部12を持たない点が異なる。それ以外は同等である。また図１の構成図における情報端末と比べて、本例における情報端末20は転送部21が電子データ提供装置との間で転送を行うのではなく、データリスト提供装置との間で転送を行う点が異なる。
【００５１】
本転送部は、例えば電話線を介してデータリスト提供装置との間で転送をする時にはモデムで、広域無線網を介してデータリスト提供装置との間で転送をする時には無線インタフェースで実現される。それ以外の部位は同等である。
【００５２】
また、記録媒体30は図１と同等である。データリスト提供装置40は、例えばWWWサーバなど公衆にデータを提供することのできる機器で構成される。
【００５３】
本実施例における提供データリストの例は図２と同等である。但し、電子データ提供装置が提供するのではなく、データリスト提供装置が提供する点が異なる。このためには、例えば電子データ提供装置を運用する業者がデータリストを作成し、WWWサーバに登録すればよい。
【００５４】
本実施例における情報端末における提供データリストの表示例や記録媒体のメモリ管理例は図３、図４と同等である。
【００５５】
図７は本発明の手順を示すフローチャートである。図５のフローチャートと比べて、本例におけるフローチャートはステップ1がデータリスト提供装置で行われる点と、ステップ2で情報端末がデータリスト提供装置から転送を受ける点が異なる。それ以外は同等である。
【００５６】
これにより本発明にかかる電子データ提供システムおよび電子データ提供装置を実現することができる。
図８は本発明の第３の実施例の全体の構成を示す実施例の図である。本実施例では第１、２の実施例と異なり、データリストが提供されユーザがこの中から所望のデータを選択するのではなく、あらかじめ電子データの識別子が記載されて記録媒体が流通される点が異なる。
【００５７】
図示するように、本実施例は、電子データを提供する電子データ提供装置10と、電子データを利用する情報端末20と、顧客が提供を求める電子データの識別子を記録し電子データ提供装置に伝達する機能および電子データ提供装置からデータの提供を受け情報端末に伝達する機能を有する記録媒体30からなる。
【００５８】
図１の構成図における電子データ提供装置と比べて、本例における電子データ提供装置10はデータリストを提供するための転送部12を持たない点が異なる。それ以外は同等である。また図１の構成図における情報端末と比べて、本例における情報端末20は転送部21を持たない点が異なる。それ以外は同等である。
【００５９】
また、記録媒体30は図１同様のハードウェア仕様であるが、あらかじめ電子データの識別子が記載されて流通される点が異なる。
【００６０】
本実施例ではデータリストは提供されない。従って図２、３に相当する構成は存在しない。
【００６１】
記録媒体のメモリ管理例は図４と同等であるが、あらかじめ識別子が記載されている点が異なる。この識別子はユーザによって書き換えられないようにプロテクトされていてもよい。
【００６２】
図９は本発明の手順を示すフローチャートである。図５のフローチャートと比べて、本例におけるフローチャートはステップ1から6までが存在しない点が異なる。これはデータリストが提供されず、情報端末でのデータの選択が行われないためである。ステップ7以降は同等である。
【００６３】
これにより本発明にかかる電子データ提供システムおよび電子データ提供装置を実現することができる。
第１、第２の実施例では、提供データリストの転送や提供を受けたい電子データの指定を行ったが、２回目以降の利用ではこの限りではない。例えば、前回転送した提供データリストを残しておき、これを基に提供を受けたい電子データを指定することもできる。図１０はこの場合の手順を示すフローチャートである。
【００６４】
図５のフローチャートと比べて、ステップ1,2を省略する点が異なる。さらに、第１、第２の実施例では、提供を受けたい電子データの指定を行ったが、２回目以降の利用ではこの限りではない。例えば、前回提供を指定した電子データの提供を再び受けたい場合は、情報端末での電子データの選択を行わずに記録媒体を電子データ提供装置に挿入すればよい。この場合、フローチャートは図９と同等となる。
【００６５】
【発明の効果】
以上説明したように、本発明によれば提供データの選択とコピーを並行して行うことにより、待ち時間の短い電子データ提供システムおよび電子データ提供装置を実現することができる。
【図面の簡単な説明】
【図１】  本発明の一実施例である電子データ配信システムの説明図
【図２】  本発明の電子データ配信システムjで用いられるデータリストを示す図
【図３】  本発明の電子データ配信システムで用いられるデータリストの表示例を示す図
【図４】  本発明の電子データ配信システムで用いられる記録媒体のメモリ管理を示す図
【図５】  本発明の電子データ配信システムにおける動作を示すフローチャート図
【図６】  本発明の他の実施例である電子データ配信システムの説明図
【図７】  本発明の電子データ配信システムにおける動作を示すフローチャート図
【図８】  本発明の他の実施例である電子データ配信システムの説明図
【図９】  本発明の電子データ配信システムにおける動作を示すフローチャート図
【図１０】  本発明の電子データ配信システムにおける動作を示すフローチャート図
【符号の説明】
１０・・・電子データ提供装置
１１・・・記憶部
１２・・・転送部
１３・・・記録媒体挿入部
２０・・・情報端末
２１・・・転送部
２２・・・記録媒体挿入部
３０・・・記録媒体
【図１】
0003672787.tif 000002
【図２】
0003672787.tif 000003
【図３】
0003672787.tif 000004
【図４】
0003672787.tif 000005
【図５】
0003672787.tif 000006
【図６】
0003672787.tif 000007
【図７】
0003672787.tif 000008
【図８】
0003672787.tif 000009
【図９】
0003672787.tif 000010
【図１０】
0003672787.tif 000011